(57)【要約】【課題】電池保持ケースを収納凹所に挿入する作業がし易い便器装置の電池収納構造を提供する。【解決手段】便器装置６の電池収納構造は、上方に開口する収納凹所１１と、電池８に接続される接続端子２と、を有する電池収納部１と、電池８を着脱自在に保持し収納凹所１１に出入れ自在に収納される電池保持ケース４と、を備える。【選択図】図１
2015095416.tif 000002
【特許請求の範囲】
【請求項１】
便器装置に設けられ、上方に開口する収納凹所と、電池に接続される接続端子と、を有する電池収納部と、
前記電池を着脱自在に保持し上方に開口する前記収納凹所に出入れ自在に収納される電池保持ケースと、を備えることを特徴とする便器装置の電池収納構造。
【請求項２】
前記電池収納部は、前記収納凹所に収納された前記電池保持ケースが前記収納凹所の内面に沿って移動可能となる、前記収納凹所に連通する移動空間を備え、
前記移動空間の奥に前記接続端子が設けられ、
前記電池保持ケースが前記移動空間の奥へ移動することで前記電池が有する端子が前記接続端子に接続可能であることを特徴とする請求項１記載の便器装置の電池収納構造。
【請求項３】
前記電池が、前記端子としての同方向を向く＋極端子および−極端子と、前記＋極端子と前記−極端子の突出基部よりも先端側に位置し、前記電池の回転により前記＋極端子と前記−極端子の位置が入れ換わる毎に、所定位置における有無が入れ換わる非対称部材と、を備えるものであって、
前記電池保持ケースは、前記＋極端子と前記−極端子とが向く方向および位置が正しい正姿勢での前記電池の保持と、前記＋極端子と前記−極端子とが向く方向が正しく位置が前記正姿勢と互いに逆となる誤姿勢での前記電池の保持と、が可能であり、
前記電池を前記誤姿勢で保持する前記電池保持ケースが前記収納凹所に収納されて前記移動空間の奥へ移動した場合に、前記＋極端子および前記−極端子と前記接続端子とが接続されるまでに前記非対称部材と当接する誤保持挿入防止部が前記移動空間に設けられることを特徴とする請求項２記載の便器装置の電池収納構造。
【請求項４】
前記電池保持ケースは、前記移動空間の奥へ移動して、保持する前記電池の前記端子と前記接続端子とが接続された場合に、前記収納凹所に面するように形成されるクリック用の溝に挿入される、前記移動空間の奥へ向かう方向と交差する方向に突出するクリック用の突起部を備えることを特徴とする請求項２または３記載の便器装置の電池収納構造。
【請求項５】
前記電池保持ケースは、保持する前記電池の前記端子が前記接続端子に接続可能な接続可能状態と、保持する前記電池の前記端子が前記接続端子に接続不能な接続不能状態のいずれかが互いに異なる姿勢となることで選択可能となって前記収納凹所に収納されるものであり、
前記収納凹所の底面に下方に凹む凹所が形成され、
前記電池保持ケースに、前記接続不能状態の場合に前記凹所に挿入され、前記接続可能状態の場合に前記凹所に挿入されず水平方向よりも上側に向けて突出する、把手が設けられることを特徴とする請求項２乃至４のいずれか一項に記載の便器装置の電池収納構造。
【請求項６】
前記把手および前記凹所は、
前記電池保持ケースの保持する前記電池の前記端子が前記接続端子と反対側を向く場合、前記接続不能状態として前記把手が前記凹所に挿入されて、前記電池保持ケースが前記収納凹所に収納可能であり、
前記接続不能状態において、
前記電池保持ケースの保持する前記電池の前記端子が前記接続端子側を向く場合、前記電池保持ケースが前記収納凹所に収納されようとするときに前記把手が前記凹所に挿入不能で、前記電池保持ケースが前記収納凹所に収納不能であることを特徴とする請求項５記載の便器装置の電池収納構造。
【請求項７】
前記電池保持ケースは、前記電池が挿入可能で挿入された前記電池の前記端子が露出する電池挿入口と、前記電池挿入口が設けられた側と反対側の半部に設けられる突起部と、を備え、
前記電池保持ケースが、保持する前記電池の前記端子が前記接続端子と対向する状態で前記収納凹所に収納されて、前記移動空間の奥へ移動した場合に前記突起部と当接せず、
前記電池保持ケースが、保持する前記電池の前記端子が前記接続端子と対向しない状態で前記収納凹所に収納されて、前記移動空間の奥へ移動した場合に、前記突起部と当接する、誤向き挿入防止部を備えることを特徴とする請求項２乃至６のいずれか一項に記載の便器装置の電池収納構造。
【請求項８】
前記電池保持ケースは、前記収納凹所に収納された場合に、前記収納凹所に面するように形成されるクリック用の溝に挿入される、クリック用の突起部を備えることを特徴とする請求項１乃至７のいずれか一項に記載の便器装置の電池収納構造。
【請求項９】
前記接続端子の上方に配置され、前記接続端子が上方に露出するのを防止する接続端子覆い部を備えることを特徴とする請求項１乃至８のいずれか一項に記載の便器装置の電池収納構造。
【請求項１０】
前記収納凹所の底面に、下方に凹む凹所が形成されることを特徴とする請求項１乃至９のいずれか一項に記載の便器装置の電池収納構造。
【請求項１１】
前記電池保持ケースが、保持する前記電池を前記接続端子の方へ付勢する付勢部を備えることを特徴とする請求項１乃至１０のいずれか一項に記載の便器装置の電池収納構造。
【請求項１２】
前記電池が、前記端子としての同方向を向く＋極端子および−極端子を備えるものであって、
前記電池保持ケースは、前記＋極端子と前記−極端子とが向く方向および位置が正しい正姿勢での前記電池の保持と、前記＋極端子と前記−極端子とが向く方向が正しく位置が前記正姿勢と互いに逆となる誤姿勢での前記電池の保持と、が可能であり、
前記電池保持ケースにおける、前記正姿勢での前記＋極端子の前記−極端子のいずれかまたは両方に対応する位置に、
前記＋極端子と前記−極端子のいずれかまたは両方に対応する目印が形成され、且つ、前記＋極端子と前記−極端子のいずれかまたは両方が見通し可能となることを特徴とする請求項１乃至１１のいずれか一項に記載の便器装置の電池収納構造。
【発明の詳細な説明】
【技術分野】
【０００１】
本発明は、便器装置の電池収納構造に関するものである。
【背景技術】
【０００２】
従来、便器装置に設けられ、側方に開口する収納凹所を有する電池収納部と、収納凹所に出入れ自在に収納される電池保持ケースと、を備える電池収納構造が知られている（例えば特許文献１参照）。電池保持ケースは、着脱自在に電池を装着（保持）するものであり、また、電池収納部には、電池に接続される接続端子が設けられる。
【先行技術文献】
【特許文献】
【０００３】
【特許文献１】実開平７−２３０７１号公報
【発明の概要】
【発明が解決しようとする課題】
【０００４】
ところで、上記従来の電池収納構造にあっては、例えば電池交換を行うにあたり、使用者は、まず、電池保持ケースを側方に引き出して電池収納部から引き離す。そして、使用者は、電池保持ケースから使用済の電池を取り出し、新しい電池を電池保持ケース内に装着し、再び電池保持ケースを側方より収納凹所に収納するものであった。
【０００５】
しかしながら、立っている使用者が、電池保持ケースを側方から収納凹所に入れるには、上方からは収納凹所がよく見えず、電池保持ケースを収納凹所に挿入する作業がし難いものであった。また、使用者が、収納凹所を側方から見ながら電池保持ケースを収納凹所に挿入しようとすると、狭いトイレルームで屈まなければならず、いずれにしても電池保持ケースを収納凹所に挿入する作業がし難いものであった。
【０００６】
本発明は上記従来の問題点に鑑みて発明したものであって、その目的とするところは、電池保持ケースを収納凹所に挿入する作業がし易い便器装置の電池収納構造を提供することにある。
【課題を解決するための手段】
【０００７】
上記課題を解決するために、本発明の便器装置の電池収納構造は、便器装置に設けられ、上方に開口する収納凹所と、電池に接続される接続端子と、を有する電池収納部と、前記電池を着脱自在に保持し上方に開口する前記収納凹所に出入れ自在に収納される電池保持ケースと、を備えることを特徴とする。
【０００８】
また、前記電池収納部は、前記収納凹所に収納された前記電池保持ケースが前記収納凹所の内面に沿って移動可能となる、前記収納凹所に連通する移動空間を備え、前記移動空間の奥に前記接続端子が設けられ、前記電池保持ケースが前記移動空間の奥へ移動することで前記電池が有する端子が前記接続端子に接続可能であることが好ましい。
【０００９】
また、前記電池が、前記端子としての同方向を向く＋極端子および−極端子と、前記＋極端子と前記−極端子の突出基部よりも先端側に位置し、前記電池の回転により前記＋極端子と前記−極端子の位置が入れ換わる毎に、所定位置における有無が入れ換わる非対称部材と、を備えるものであって、前記電池保持ケースは、前記＋極端子と前記−極端子とが向く方向および位置が正しい正姿勢での前記電池の保持と、前記＋極端子と前記−極端子とが向く方向が正しく位置が前記正姿勢と互いに逆となる誤姿勢での前記電池の保持と、が可能であり、前記電池を前記誤姿勢で保持する前記電池保持ケースが前記収納凹所に収納されて前記移動空間の奥へ移動した場合に、前記＋極端子および前記−極端子と前記接続端子とが接続されるまでに前記非対称部材と当接する誤保持挿入防止部が前記移動空間に設けられることが好ましい。
【００１０】
また、前記電池保持ケースは、前記移動空間の奥へ移動して、保持する前記電池の前記端子と前記接続端子とが接続された場合に、前記収納凹所に面するように形成されるクリック用の溝に挿入される、前記移動空間の奥へ向かう方向と交差する方向に突出するクリック用の突起部を備えることが好ましい。
【００１１】
また、前記電池保持ケースは、保持する前記電池の前記端子が前記接続端子に接続可能な接続可能状態と、保持する前記電池の前記端子が前記接続端子に接続不能な接続不能状態のいずれかが互いに異なる姿勢となることで選択可能となって前記収納凹所に収納されるものであり、前記収納凹所の底面に下方に凹む凹所が形成され、前記電池保持ケースに、前記接続不能状態の場合に前記凹所に挿入され、前記接続可能状態の場合に前記凹所に挿入されず水平方向よりも上側に向けて突出する、把手が設けられることが好ましい。
【００１２】
また、前記把手および前記凹所は、前記電池保持ケースの保持する前記電池の前記端子が前記接続端子と反対側を向く場合、前記接続不能状態として前記把手が前記凹所に挿入されて、前記電池保持ケースが前記収納凹所に収納可能であり、前記接続不能状態において、前記電池保持ケースの保持する前記電池の前記端子が前記接続端子側を向く場合、前記電池保持ケースが前記収納凹所に収納されようとするときに前記把手が前記凹所に挿入不能で、前記電池保持ケースが前記収納凹所に収納不能であることが好ましい。
【００１３】
また、前記電池保持ケースは、前記電池が挿入可能で挿入された前記電池の前記端子が露出する電池挿入口と、前記電池挿入口が設けられた側と反対側の半部に設けられる突起部と、を備え、前記電池保持ケースが、保持する前記電池の前記端子が前記接続端子と対向する状態で前記収納凹所に収納されて、前記移動空間の奥へ移動した場合に前記突起部と当接せず、前記電池保持ケースが、保持する前記電池の前記端子が前記接続端子と対向しない状態で前記収納凹所に収納されて、前記移動空間の奥へ移動した場合に、前記突起部と当接する、誤向き挿入防止部を備えることが好ましい。
【００１４】
また、前記電池保持ケースは、前記収納凹所に収納された場合に、前記収納凹所に面するように形成されるクリック用の溝に挿入される、クリック用の突起部を備えることが好ましい。
【００１５】
また、前記接続端子の上方に配置され、前記接続端子が上方に露出するのを防止する接続端子覆い部を備えることが好ましい。
【００１６】
また、前記収納凹所の底面に、下方に凹む凹所が形成されることが好ましい。
【００１７】
また、前記電池保持ケースが、保持する前記電池を前記接続端子の方へ付勢する付勢部を備えることが好ましい。
【００１８】
また、前記電池が、前記端子としての同方向を向く＋極端子および−極端子を備えるものであって、前記電池保持ケースは、前記＋極端子と前記−極端子とが向く方向および位置が正しい正姿勢での前記電池の保持と、前記＋極端子と前記−極端子とが向く方向が正しく位置が前記正姿勢と互いに逆となる誤姿勢での前記電池の保持と、が可能であり、前記電池保持ケースにおける、前記正姿勢での前記＋極端子の前記−極端子のいずれかまたは両方に対応する位置に、前記＋極端子と前記−極端子のいずれかまたは両方に対応する目印が形成され、且つ、前記＋極端子と前記−極端子のいずれかまたは両方が見通し可能となることが好ましい。
【発明の効果】
【００１９】
本発明にあっては、使用者が立ったまま、電池保持ケースを収納凹所に挿入する作業がし易いものである。
【図面の簡単な説明】
【００２０】
【図１】本発明の一実施形態の電池収納構造を示し、（ａ）は電池保持ケースが電池収納部に収納された状態の前斜め上方より見た斜視図であり、（ｂ）は電池保持ケースおよび接続端子固定部材が取り外された状態の前斜め上方より見た斜視図である。
【図２】同上の実施形態の便器装置を示し、（ａ）は一部の構成を半透明として前斜め上方より見た斜視図であり、（ｂ）は上ケースを開いた状態の前斜め上方より見た斜視図である。
【図３】同上の実施形態の接続端子固定部材を示し、（ａ）は上方より見た斜視図であり、（ｂ）は接続端子が装着された状態の下方より見た斜視図であり、（ｃ）は接続端子が分離された状態の下方より見た斜視図である。
【図４】同上の実施形態の電池および電池保持ケースを示し、（ａ）は電池を保持している電池ケースを下方より見た斜視図であり、（ｂ）は電池が離脱されている電池ケースを下方より見た斜視図である。
【図５】同上の実施形態の電池保持ケースを示し、（ａ）は電池を保持している電池ケースを下方より見た斜視図であり、（ｂ）は電池が離脱されている電池ケースを下方より見た斜視図である。
【図６】同上の実施形態の電池を誤姿勢で保持している電池ケースを下方より見た斜視図である。
【図７】同上の実施形態の収納凹部の底面の説明する斜視図である。
【図８】（ａ）（ｂ）同上の実施形態の電池保持ケースを移動させて端子を接続端子に接続をさせる場合を説明する斜視図である。
【図９】同上の実施形態の接続可能状態において上ケースが閉まらないことを説明する要部を示し、（ａ）は斜視図であり、（ｂ）は側面図である。
【図１０】同上の実施形態の誤保持挿入防止部を説明する斜視図である。
【図１１】同上の実施形態の目印を説明するための電池および電池保持ケースを示し、（ａ）は電池および電池保持ケースが分離した状態の斜視図であり、（ｂ）は電池が電池保持ケースに保持された状態の斜視図である。
【図１２】同上の実施形態の誤向き挿入防止部を説明するための要部を示し、（ａ）は突起部と誤向き挿入防止部とが当接した状態の斜視図であり、（ｂ）は突起部と誤向き挿入防止部とが当接していない状態の斜視図である。
【図１３】同上の実施形態のクリック用の溝およびクリック用の突起部を説明するための図を示し、（ａ）は接続端子固定部材と電池保持ケースとが分離した状態の斜視図であり、（ｂ）は分離した接続端子固定部材と電池保持ケースの斜視図であり、（ｃ）は連結した接続端子固定部材と電池保持ケースの斜視図である。
【発明を実施するための形態】
【００２１】
本発明の便器装置６の電池収納構造は、上方に開口する収納凹所１１と、電池８に接続される接続端子２と、を有する電池収納部１を備える。さらに、電池８を着脱自在に保持し上方に開口する収納凹所１１に出入れ自在に収納される電池保持ケース４を備える。
【００２２】
また、電池収納部１は、収納凹所１１に収納された電池保持ケース４が収納凹所１１の内面に沿って移動可能となる、収納凹所１１に連通する移動空間１３を備える。移動空間１３の奥に接続端子２が設けられ、電池保持ケース４が移動空間１３の奥へ移動することで電池８が有する端子が接続端子２に接続可能であることが好ましい。
【００２３】
また、電池８が、前記端子としての同方向を向く＋極端子８１および−極端子８２を備える。＋極端子８１と−極端子８２の突出基部よりも先端側に位置し、電池８の回転により＋極端子８１と−極端子８２の位置が入れ換わる毎に、所定位置における有無が入れ換わる非対称部材８３を備えるものである。電池保持ケース４は、＋極端子８１と−極端子８２とが向く方向および位置が正しい正姿勢での電池８の保持が可能である。＋極端子８１と−極端子８２とが向く方向が正しく位置が前記正姿勢と互いに逆となる誤姿勢での電池８の保持が可能である。電池８を前記誤姿勢で保持する電池保持ケース４が収納凹所１１に収納されて移動空間１３の奥へ移動した場合に、＋極端子８１および−極端子８２と接続端子２とが接続されるまでに非対称部材８３と当接する誤保持挿入防止部１５が移動空間１３に設けられることが好ましい。
【００２４】
また、電池保持ケース４は、移動空間１３の奥へ移動して、保持する電池８の前記端子と接続端子２とが接続された場合に、収納凹所１１に面するように形成されるクリック用の溝１６に挿入されるクリック用の突起部４７を備える。クリック用の突起部４７は、移動空間１３の奥へ向かう方向と交差する方向に突出する。
【００２５】
また、電池保持ケース４は、保持する電池８の前記端子が接続端子２に接続可能な接続可能状態と、保持する電池８の前記端子が接続端子２に接続不能な接続不能状態のいずれかが互いに異なる姿勢となることで選択可能となって収納凹所１１に収納されるものである。収納凹所１１の底面１１ａに下方に凹む凹所１４が形成される。電池保持ケース４に、前記接続不能状態の場合に凹所１４に挿入されて、前記接続可能状態の場合に凹所１４に挿入されず水平方向よりも上側に向けて突出する、把手４４が設けられることが好ましい。
【００２６】
また、把手４４および凹所１４は、電池保持ケース４の保持する電池８の前記端子が接続端子２と反対側を向く場合、前記接続不能状態として把手４４が凹所１４に挿入されて、電池保持ケース４が収納凹所１１に収納可能である。前記接続不能状態において、電池保持ケース４の保持する電池８の前記端子が接続端子２側を向く場合、電池保持ケース４が収納凹所１１に収納されようとするときに把手４４が凹所１４に挿入不能で、電池保持ケース４が収納凹所１１に収納不能であることが好ましい。
【００２７】
また、電池保持ケース４は、電池８が挿入可能で挿入された電池８の前記端子が露出する電池挿入口４１と、電池挿入口４１が設けられた側と反対側の半部に設けられる突起部４８と、を備える。電池保持ケース４が、保持する電池８の前記端子が接続端子２と対向する状態で収納凹所１１に収納されて、移動空間１３の奥へ移動した場合に突起部４８と当接せず、電池保持ケース４が、保持する電池８の前記端子が接続端子２と対向しない状態で収納凹所１１に収納されて、移動空間１３の奥へ移動した場合に突起部４８と当接する、誤向き挿入防止部１７を備えることが好ましい。
【００２８】
また、電池保持ケース４は、収納凹所１１に収納された場合に、収納凹所１１に面するように形成されるクリック用の溝１８に挿入される、クリック用の突起部４９を備えることが好ましい。
【００２９】
また、接続端子２の上方に配置され、接続端子２が上方に露出するのを防止する接続端子覆い部を備えることが好ましい。
【００３０】
また、収納凹所１１の底面１１ａに、下方に凹む凹所１４が形成されることが好ましい。
【００３１】
また、電池保持ケース４が、保持する電池８を接続端子２の方へ付勢する付勢部を備えることが好ましい。
【００３２】
また、電池８が、前記端子としての同方向を向く＋極端子８１および−極端子８２を備えるものである。電池保持ケース４は、＋極端子８１と−極端子８２とが向く方向および位置が正しい正姿勢での電池８の保持と、＋極端子８１と−極端子８２とが向く方向が正しく位置が前記正姿勢と互いに逆となる誤姿勢での電池８の保持と、が可能である。電池保持ケース４における、前記正姿勢での＋極端子８１の−極端子８２のいずれかまたは両方に対応する位置に、＋極端子８１と−極端子８２のいずれかまたは両方に対応する目印４５が形成される。且つ、＋極端子８１と−極端子８２のいずれかまたは両方が見通し可能となることが好ましい。
【００３３】
以下、本発明の一実施形態について図１乃至図１３に基いて説明する。
【００３４】
便器装置６は、ボウル部６１と、機器収納部６２と、を備えるものである。本実施形態では、図２（ａ）に示すように、ボウル部６１は、樹脂で形成されるもので、金属等の所定の強度を有するフレーム６３に載置されたり固定されて、支持される。ボウル部６１は、その上端となるリムに便座６４が起倒自在に載置され、便座６４の上側に、便蓋６５が起倒自在に載置される。
【００３５】
機器収納部６２は、ボウル部６１の後方に形成されるものである。なお、ここでは、便器装置６の前後方向として、図２（ａ）に示すように、便器装置６から見て男子小用の立ち位置方向を前方Ｆとし、その反対側を後方Ｂとし、左方Ｌおよび右方Ｒは前方から後方を見たときの左方および右方とする。
【００３６】
本実施形態では、図２に示すように、ボウル部６１と機器収納部６２は、カバーにより前後左右の周囲を覆われている。カバーは、前カバー６６と、側カバー６７と、背カバー６８と、を備える。前カバー６６は、ボウル部６１の前方および左右側方を覆う。側カバー６７は、前カバー６６の後ろ側に隙間なく設けられ、機器収納部６２の下部の左右側方を覆う。背カバー６８は、左右の側カバー６７の後端部間に設けられ、機器収納部６２の下部の後方を覆う、を備える。
【００３７】
また本実施形態では、図２に示すように、便器装置６は、機器収納部６２の上端部に、機器収納ケースを備える。機器収納ケースは、機器収納部６２の上部の上方を覆う上ケース６９と、機器収納部６２の上部の左右側方および後方を覆う側ケース７０と、を備える。上ケース６９は、開閉自在に側ケース７０に取り付けられる。本実施形態では、上ケース６９の後端部を中心として、上ケース６９の前端部が上下に移動自在となる。そして、図２（ｂ）に示すように、上ケース６９の前端部が上方に位置した状態で、機器収納ケースの内部が上方に解放され、上ケース６９の前端部が下方に位置した状態で、機器収納ケースの内部が囲われる。
【００３８】
本実施形態では、カバーと、機器収納ケースと、便蓋６５とにより、便器装置６の下方以外を覆う外殻が構成される。
【００３９】
機器収納部６２の下部には、図２（ａ）に示すように、所謂ターントラップを有するターントラップ装置７１が設けられる。ターントラップは、内部がボウル部６１内と連通しており、駆動手段がターントラップの先端の開口部を下方に移動させて、ボウル部６１内の溜め水および汚物を排出する。また、駆動手段がターントラップの先端の開口部を上方に移動させて、ボウル部６１内に溜め水を形成する。このようなターントラップ装置７１は、様々な既存の技術が適宜利用可能であり、詳細な説明は省略する。
【００４０】
機器収納部６２の上部に設けられる機器収納ケース内には、本実施形態では、図２に示すように、電池収納部１、洗剤タンク７２、脱臭装置、局部洗浄装置、制御部、操作部７３、リモコン受信部７４が設けられている。洗剤タンク７２は、樹脂製のボウル部６１に供給する洗浄水に洗剤を混入させるためのものである。脱臭装置は、ボウル部６１内の空気をファンにより吸引し、脱臭フィルタにより脱臭するものであり、帯電微粒子水を発生させる静電霧化装置７５をさらに備えている。局部洗浄装置は、ボウル部６１の後端部に設けられボウル部６１内に突出する洗浄ノズルを有し、洗浄ノズルより湯水を局部に向けて噴出する。制御部は、各機器の動作を制御するもので、操作部７３は、各機器を動作させるために使用者が操作するものである。リモコン受信部７４は、便器装置６の外殻外に設けられるリモコン送信部からの信号を受信するもので、受信した信号は制御部に送信される。
【００４１】
なお、洗剤タンク７２、脱臭装置、局部洗浄装置、制御部、操作部７３については、いずれか一つあるいは複数あるいは全部がなくてもよいし、また、機器収納ケース内ではなく機器収納部６２の下部に設けられてもよい。また、他の機器が機器収納ケース内または機器収納部６２の下部に設けられてもよい。
【００４２】
本実施形態では、図２（ｂ）に示すように、機器収納ケース内に、少なくとも電池収納部１を保持する機器保持部材７６が設けられる。機器保持部材７６は、機器が取り付けられて該機器を保持するもので、形状は特に限定されないが、その上面部の少なくとも一部に電池収納部１が設けられる。さらに本実施形態では、洗剤タンク７２の支持部や操作部７３も設けられているが、これらは設けられなくてもよい。
【００４３】
電池収納部１は、図１に示すように、上方に開口する収納凹所１１と、電池８（図４参照）に接続される接続端子２（図３（ｂ）等参照）と、を有するもので、収納凹所１１には、電池保持ケース４が出入れ自在に収納されるものである。
【００４４】
本実施形態では、機器保持部材７６の上面部の一部に収納凹所１１が設けられている。また、本実施形態では、電池収納部１には、接続端子固定部材３が装着されるものである。機器保持部材７６の上面部の一部には、図１に示すように、収納凹所１１に連通して上方に開口する収納凹所１２が設けられており、この収納凹所１２に接続端子固定部材３が収納される。
【００４５】
接続端子固定部材３は、図３に示すように、一面に電池挿入口３１を有し、電池挿入口３１の奥方に接続端子２が設けられるものである。本実施形態では、平面視矩形状をした上壁３２と、上壁３２の対向する一対の端部から垂下される側壁３３と、を備えている。そして、上壁３２と一対の側壁３３とで囲まれ、一端側が電池挿入口３１として開口する電池挿入路３４が形成される。そして、電池挿入路３４の奥方に入った部分に、電池挿入口３１と対向する奥壁３５が設けられ、この奥壁３５が、接続端子２を保持する保持部材となっている。
【００４６】
接続端子固定部材３は、図７に示すように、電池挿入口３１が収納凹所１１側に位置するように、収納凹所１２に収納される。
【００４７】
電池８は、本実施形態では、図４に示すように、＋極端子８１と−極端子８２が同方向を向くものが対象となるもので、所謂９Ｖ角型電池であるが、特に所謂９Ｖ角型電池に限定されない。他に例えば、電池８として単三電池二本が同向きまたは逆向きに並設されて、接続されてもよい。
【００４８】
また本実施形態では、電池８は、＋極端子８１と−極端子８２の突出基部よりも先端側に位置し、電池８の回転により＋極端子８１と−極端子８２の位置が入れ換わる毎に、所定位置における有無が入れ換わる非対称部材８３が設けられている。図４に示すように、所謂９Ｖ角型電池の場合、−極端子８２の先端に形成されるフランジが非対称部材８３となる。
【００４９】
接続端子２は、図３（ｂ）、図３（ｃ）に示すように、＋極端子８１に接続される＋極用接続端子２１と、−極端子８２に接続される−極用接続端子２２と、を備えている。＋極用接続端子２１と−極用接続端子２２は、奥壁３５の所定位置に装着される。本実施形態では、＋極用接続端子２１と−極用接続端子２２は、金属板がＶ字状に折曲されて形成されており、そのＶ字状の両片により奥壁３５を挟持して取り付けられている。なお、＋極用接続端子２１と−極用接続端子２２とその取り付け方法は特に限定されない。そして、＋極用接続端子２１と−極用接続端子２２には、電線（不図示）が接続される。
【００５０】
電池保持ケース４は、電池８を保持爪４０により着脱自在に保持するものである。本実施形態では、図４（ｂ）に示すように、一面に、電池８が挿入可能で、挿入された電池８の端子が露出する電池挿入口４１を有する矩形箱状をしたものである。電池挿入口４１より奥方に伸びる電池挿入路４２が形成される。電池挿入路４２の奥方には、電池８のそれ以上の挿入を規制する規制部４３が設けられている。また、電池保持ケース４には、下面より下方に突出する把手４４が設けられている。なお、電池保持ケース４の上下とは、後述する接続不能状態での上下をいうものとし、図４および図５においては上下が逆に描かれている。
【００５１】
電池保持ケース４は、＋極端子８１と−極端子８２とが、向きおよび位置が正しい図４に示す正姿勢と、向きが正しいが位置が正姿勢と逆の図６に示す誤姿勢と、の両方で電池８の保持が可能である。すなわち、電池８は、端子側から見た形状が点対称となっているため、複数姿勢での保持が可能となっている。
【００５２】
収納凹所１１に収納された電池保持ケース４が、収納凹所１１の内面に沿って移動可能となるように、電池収納部１には、収納凹所１１に連通する移動空間１３が形成される。本実施形態では、図７に示すように、収納凹所１１の底面１１ａが、電池保持ケース４が沿う内面となり、収納凹所１２に収納された接続端子固定部材３の電池挿入路３４が、移動空間１３となる。
【００５３】
接続端子固定部材３は、電池挿入口３１が収納凹所１１側に位置するように収納凹所１２に収納されており、奥壁３５に保持される接続端子２が移動空間１３の奥に配置される（図３（ｂ）参照）。電池保持ケース４は、移動空間１３の奥へ移動可能であり、図８（ａ）に示すように収納凹所１１に収納された電池保持ケース４が、図８（ｂ）に示すように移動空間１３の奥へ移動することで、電池８の端子が接続端子２に接続される。電池保持ケース４により、直接電池８に触れなくても、接続端子２に接続可能となる。
【００５４】
電池保持ケース４は、接続可能状態と接続不能状態のいずれかの状態で、収納凹所１１に収納されるものである。接続可能状態は、電池８が収納凹所１１に収納された状態で、保持する電池８の端子が接続端子２に接続可能となるものである。接続不能状態は、電池８が収納凹所１１に収納された状態で、保持する電池８の端子が接続端子２に接続不能となるものである。接続可能状態と接続不能状態とは、電池保持ケース４が互いに異なる姿勢となることで選択される。
【００５５】
本実施形態では、図７に示すように、収納凹所１１の底面１１ａに、下方に凹む凹所１４が形成されている。そして、電池保持ケース４の把手４４が水平方向よりも上側に突出する姿勢をとるときが接続可能状態であり、電池保持ケース４の把手４４が下方に突出する姿勢をとるときが接続不能状態である。
【００５６】
本実施形態においては、便器装置６がターントラップ装置７１を備えており、通常は、ターントラップ装置７１は商用電源により駆動される。しかし、停電時には、ターントラップ装置７１が駆動不能となるが、この時、電池８を電源としてターントラップ装置７１が駆動可能となる。電池８は、電池収納部１に、通常は接続不能状態で収納され、停電時に接続可能状態で収納される。
【００５７】
そして、本実施形態においては、接続不能状態において、電池保持ケース４の保持する電池８の端子が接続端子２側を向く場合、電池保持ケース４が収納凹所１１に収納されようとするときに把手４４が凹所１４に挿入不能となる。
【００５８】
本実施形態では、図５に示すように、把手４４は、幅Ｗ１の幅広部４４ａと、幅Ｗ２の幅狭部４４ｂと、を備えている。また、図７に示すように、凹所１４は、幅Ｗ３の幅狭部１４ａと、幅Ｗ４の幅広部１４ｂと、を備えている。そして、幅Ｗ４＞幅Ｗ１＞幅Ｗ３＞幅Ｗ２である。
【００５９】
電池保持ケース４の保持する電池８の端子が接続端子２側を向く場合、幅広部４４ａが幅広部１４ｂに対応せず、電池保持ケース４が収納凹所１１に収納不能となり、接続不能状態において、電池８の端子が接続端子２側を向く状態では収納されない。これにより、通常の状態である接続不能状態において、電池８から万一液漏れ等が発生しても、接続端子２に液が付着し難くできる。
【００６０】
なお、電池保持ケース４の保持する電池８の端子が接続端子２側を向かない場合、幅広部４４ａが幅広部１４ｂに対応し、幅狭部４４ｂが幅狭部１４ａに対応し、接続不能状態として電池保持ケース４が収納凹所１１に収納される。
【００６１】
電池保持ケース４が接続可能状態で収納凹所１１に収納されている場合、把手４４は凹所１４に挿入されず上方に突出し、使用者が摘まむことが可能となる。またこの時、図１１に示すように、上ケース６９が把手４４に当接して閉まらないため、使用者は、電池保持ケース４が接続可能状態であることが分かり易くなる。
【００６２】
電池保持ケース４が接続不能状態で収納凹所１１に収納されている場合、把手４４は、凹所１４に挿入されて、電池保持ケース４の移動空間１３の奥への移動を規制する。
【００６３】
また、凹所１４が形成されていることで、電池８から液漏れが生じても、凹所１４内に漏れた液が溜まり、他の部分に侵入したりするのが抑制される。
【００６４】
また本実施形態では、電池８を誤姿勢で保持する電池保持ケース４が収納凹所１１に収納された場合、電池８の端子と接続端子２とが接続されないように、電池保持ケース４の移動を規制する誤保持挿入防止部１５が移動空間１３に設けられる。誤保持挿入防止部１５は、図３に示すように、＋極用接続端子２１の周囲に設けられるリブにて構成される。そして、電池保持ケース４が正姿勢で電池８を保持している場合には、＋極端子８１が誤保持挿入防止部１５内に挿入されて＋極用接続端子２１と接続される。しかしながら、図１０に示すように、電池保持ケース４が誤姿勢で電池８を保持している場合には、非対称部材８３が誤保持挿入防止部１５に当接してそれ以上の進入が阻止される。これにより、−極端子８２と＋極用接続端子２１とが接続されるのが防止される。
【００６５】
また、本実施形態では、電池保持ケース４に誤姿勢で電池８が保持されないために、目印４５が形成される。図１１に示すように、目印４５として、電池保持ケース４における、正姿勢での＋極端子８１に対応する位置に、＋極端子８１に対応する＋目印４５ａが形成されている。さらに、−極端子８２に対応する位置に、−極端子８２に対応する−目印４５ｂが形成されている。さらに、＋極端子８１と−極端子８２が見通し可能となる開口４６が形成されている。これにより、開口４６を介して、＋極端子８１と−極端子８２が見通せるとともに、＋目印４５ａと−目印４５ｂにより、正姿勢か否かが分かり易くなる。さらに本実施形態では、電池８の側面の＋極端子８１に対応する位置に＋記号８４ａが形成され、−極端子８２に対応する位置に−記号８４ｂが形成されている。これにより、開口４６を介して、＋極端子８１と−極端子８２のみならず＋記号８４ａと−記号８４ｂも見通せて、正姿勢か否かがより一層分かり易くなる。
【００６６】
また、本実施形態では、電池保持ケース４が保持する電池８の端子と接続端子２とが接続された場合に、クリック感を発生させるクリック用の溝１６およびクリック用の突起部４７を備えるものである。クリック用の溝１６は、図８に示すように、収納凹所１１に設けられる縦リブ１６ａと、縦リブ１６ａより接続端子２側に間隔をあけて形成される壁部との間に形成され、収納凹所１１に面する縦溝である。クリック用の突起部４７は、図５、図６、図８に示すように、電池保持ケース４に形成される、移動空間１３の奥へ向かう方向と交差する方向に突出する縦リブである。クリック用の突起部４７は、突出方向に変形性を有するもので、板ばねやコイルばねや弾性部材等により形成され（本実施形態では板ばね）、特に限定されない。
【００６７】
図８（ａ）に示すように、接続可能状態で収納凹所１１に収納された電池保持ケース４が、図８（ｂ）に示すように、接続端子２の方に移動され、電池８の端子と接続端子２とが接続される。このとき、クリック用の突起部４７が縦リブ１６ａを乗り越えてクリック用の溝１６に挿入されるが、これにより、クリック感が発生し、電池８の端子と接続端子２とが接続されたことが使用者に分かり易くなる。
【００６８】
また、本実施形態では、接続可能状態で収納凹所１１に収納された電池保持ケース４が、正向きのときに端子と接続端子２とを接続可能とし、誤向きのときに端子と接続端子２とを接続不能とする突起部４８および誤向き挿入防止部１７が設けられる。正向きの状態とは、図８に示すように、電池保持ケース４が収納凹所１１に対し、保持する電池８の端子が接続端子２と対向する状態をいうものとする。誤向きの状態とは、図１２に示すように、電池保持ケース４が収納凹所１１に対し、保持する電池８の端子が接続端子２と対向しない状態をいうものとする。
【００６９】
突起部４８は、図５、図１２に示すように、電池保持ケース４の電池挿入口４１が設けられた側と反対側の半部に設けられるもので、本実施形態ではクリック用の突起部４７と兼用される。誤向き挿入防止部１７は、図１２に示すように、電池挿入口３１の近傍に設けられている。
【００７０】
図８（ａ）に示すように、正向きで収納凹所１１に収納された電池保持ケース４が、図８（ｂ）に示すように、接続端子２の方に移動され、電池８の端子と接続端子２とが接続される。このとき、突起部４８は誤向き挿入防止部１７に当接することはなく、電池８の端子と接続端子２とが接続される。
【００７１】
図１２（ｂ）に示すように、誤向きで収納凹所１１に収納された電池保持ケース４が、図１２（ａ）に示すように、接続端子２の方に移動されると、突起部４８が誤向き挿入防止部１７に当接してそれ以上の進入が阻止される。これにより、使用者は、電池保持ケース４が誤向きであることが分かる。
【００７２】
また、本実施形態では、電池保持ケース４が収納凹所１１に収納された場合に、収納凹所１１に面するように形成されるクリック用の溝１８に挿入される、クリック用の突起部４９を備えるものである。
【００７３】
クリック用の溝１８は、図１３に示すように、収納凹所１１に設けられる突起部１８ａと底面１１ａの間に形成されるものである。クリック用の突起部４９は、図１３に示すように、電池保持ケース４に形成されるもので、本実施形態ではクリック用の突起部４７および突起部４８と兼用される。
【００７４】
図１３（ａ）、図１３（ｂ）に示すように、電池保持ケース４が接続不能状態で収納凹所１１に収納される際、クリック用の突起部４９が突起部１８ａを乗り越えてクリック用の溝１８に挿入されるが、これにより、クリック感が発生し、電池保持ケース４が収納凹所１１に収容されたことが使用者に分かり易くなる。
【００７５】
また、接続端子２の上方に、接続端子２が上方に露出するのを防止する接続端子覆い部を備えることが好ましい。本実施形態では、図３に示すように、接続端子固定部材３の上壁３２が、接続端子覆い部となっている。これにより、誤って接続端子２に通電物が接触して短絡等してしまったり、あるいは、接続端子２が見えることによるいたずら等が抑えられる。
【００７６】
また、電池保持ケース４が、保持する電池８を接続端子２の方へ付勢する付勢部５０を備えることが好ましい。本実施形態では、図５（ｃ）に示すように、電池保持ケース４の規制部４３に設けられる、ばねや弾性部材等からなるものである。これにより、電池８寸法にバラつきがあっても、電池８の端子と接続端子２とが確実に接続され易くなる。
【符号の説明】
【００７７】
１    電池収納部
１１  収納凹所
１１ａ  底面
１２  収納凹所
１３  移動空間
１４  凹所
１４ａ  幅狭部
１４ｂ  幅広部
１５  誤保持挿入防止部
１６  クリック用の溝
１６ａ  縦リブ
１７  誤向き挿入防止部
１８  クリック用の溝
１８ａ  突起部
２    接続端子
２１  ＋極用接続端子
２２  −極用接続端子
３    接続端子固定部材
３１  電池挿入口
３２  上壁
３３  側壁
３４  電池挿入路
３５  奥壁
４    電池保持ケース
４０  係止爪
４１  電池挿入口
４２  電池挿入路
４３  規制部
４４  把手
４４ａ  幅広部
４４ｂ  幅狭部
４５  目印
４５ａ  ＋目印
４５ｂ  −目印
４６  開口
４７  クリック用の突起部
４８  突起部
４９  クリック用の突起部
６    便器装置
６１  ボウル部
６２  機器収納部
６３  フレーム
６４  便座
６５  便蓋
６６  前カバー
６７  側カバー
６８  背カバー
６９  上ケース
７０  側ケース
７１  ターントラップ装置
７２  洗剤タンク
７３  操作部
７４  リモコン受信部
７５  静電霧化装置
７６  機器保持部材
８    電池
８１  ＋極端子
８２  −極端子
８３  非対象部材
８４ａ  ＋記号
８４ｂ  −記号
【図１】
2015095416.tif 000003
【図２】
2015095416.tif 000004
【図３】
2015095416.tif 000005
【図４】
2015095416.tif 000006
【図５】
2015095416.tif 000007
【図６】
2015095416.tif 000008
【図７】
2015095416.tif 000009
【図８】
2015095416.tif 000010
【図９】
2015095416.tif 000011
【図１０】
2015095416.tif 000012
【図１１】
2015095416.tif 000013
【図１２】
2015095416.tif 000014
【図１３】
2015095416.tif 000015